(57)【特許請求の範囲】
【請求項１】
表示部と、
前記表示部の表示画面上に設けられたタッチパネルと、
前記タッチパネルに対するタッチ入力に基づいて、前記表示画面における表示座標と前記タッチパネルにおける検出座標との位置関係を補正するための調整値を生成するキャリブレーション処理を実行するキャリブレーション処理部と、
前記調整値を記憶する調整値記憶部と、
少なくとも電源がオンされてから前記キャリブレーション処理が実行されまでの間は、前記表示座標と前記検出座標との位置関係を示す位置関係情報に基づいてタッチ入力処理を行い、前記キャリブレーション処理が実行されたときに、当該キャリブレーション処理によって生成される前記調整値を使用した前記タッチ入力処理を開始するタッチ入力処理部と、
前記タッチ入力処理部によって前記調整値が使用されている間、前記調整値が使用されていることを示す画像を前記表示部に表示させる表示制御部と、
を備え、
前記キャリブレーション処理部は、前記タッチパネルに対する直前の操作を取り消す操作が所定回数繰り返されたことに応じて前記キャリブレーション処理を実行し、
前記調整値が使用されていることを示す画像に、前記調整値の使用を終了する指示を受け付けるボタンが含まれる、
操作入力装置。
【請求項２】
前記調整値記憶部は、揮発性の記憶部である請求項１に記載の操作入力装置。
【請求項３】
前記直前の操作を取り消す操作は、キャンセル操作、戻る操作、削除操作の少なくとも１つを含む、
請求項１又は請求項２に記載の操作入力装置。
【請求項４】
前記タッチ入力処理部による前記調整値の使用を終了すべきか否かを判定する終了判定部を更に備え、
前記タッチ入力処理部は、前記キャリブレーション処理が実行されてから前記電源がオフされるまでの期間において、前記終了判定部によって前記調整値の使用を終了すべきであると判定された場合に、前記調整値の使用を終了する請求項１〜３のいずれかに記載の操作入力装置。
【請求項５】
前記表示部の動作モードを通常モードと省電力モードとの間で切り換える動作モード制御部を更に備え、
前記終了判定部は、前記動作モードが前記省電力モードに切り換わったときに、前記調整値の使用を終了すべきであると判定する請求項４に記載の操作入力装置。
【請求項６】
前記表示部の動作モードを通常モードと省電力モードとの間で切り換える動作モード制御部と、
前記キャリブレーション処理の実行後、前記動作モードが前記通常モードから前記省電力モードに一旦切り替わってから前記通常モードに復帰したときに、前記調整値の使用を継続すべきか否かをユーザーに問い合わせる問い合わせ部と、
を更に備え、
前記終了判定部は、ユーザーから前記調整値の使用を継続すべきでないとの回答が入力された場合には、前記調整値の使用を終了すべきであると判定し、ユーザーから前記調整値の使用を継続すべきであるとの回答が入力された場合には、前記調整値の使用を終了すべきでないと判定する請求項４に記載の操作入力装置。
【請求項７】
前記タッチパネルを操作しているユーザーを判別するユーザー判別部を更に備え、
前記終了判定部は、前記タッチパネルを操作しているユーザーが変わったときに、前記調整値の使用を終了すべきであると判定する請求項４〜６のいずれかに記載の操作入力装置。
【請求項８】
前記キャリブレーション処理が実行されてからの経過時間をカウントする時間カウント部を更に備え、
前記終了判定部は、前記経過時間が予め定められた時間に達したときに、前記調整値の使用を終了すべきであると判定する請求項４〜７のいずれかに記載の操作入力装置。
【請求項９】
前記タッチパネル又はその周辺の温度を検出する温度検出部を更に備え、
前記終了判定部は、前記キャリブレーション処理が実行されてから前記温度が予め定められた値以上変化したときに、前記調整値の使用を終了すべきであると判定する請求項４〜８のいずれかに記載の操作入力装置。
【請求項１０】
請求項１〜９のいずれかに記載の操作入力装置と、
前記操作入力装置に対するユーザー操作に基づいてシート上に画像を形成する画像形成部と、
を備える画像形成装置。
【請求項１１】
表示部の表示画面上に設けられたタッチパネルに対するタッチ入力に基づいて、前記表示画面における表示座標と前記表示部の表示画面上に設けられたタッチパネルにおける検出座標との位置関係を補正するための調整値を生成するキャリブレーション処理を実行するキャリブレーション処理ステップと、
少なくとも電源がオンされてから前記キャリブレーション処理が実行されまでの間は、前記表示座標と前記検出座標との位置関係を示す位置関係情報に基づいてタッチ入力処理を行い、前記キャリブレーション処理が実行されたときに、当該キャリブレーション処理によって生成される前記調整値を使用した前記タッチ入力処理を開始するタッチ入力処理ステップと、
前記タッチ入力処理において前記調整値が使用されている間、前記調整値が使用されていることを示す画像を前記表示部に表示させる表示制御ステップと、
を備え、
前記キャリブレーション処理ステップでは、前記タッチパネルに対する直前の操作を取り消す操作が所定回数繰り返されたことに応じて前記キャリブレーション処理が実行され、
前記調整値が使用されていることを示す画像に、前記調整値の使用を終了する指示を受け付けるボタンが含まれる、
操作入力方法。
【発明の詳細な説明】
【技術分野】
【０００１】
本発明は、表示部とタッチパネルとを備える操作入力装置、画像形成装置及び操作入力方法に関する。
【背景技術】
【０００２】
一般に、表示部と前記表示部の表示画面上に設けられたタッチパネルとを備える操作入力装置には、前記表示画面における表示位置と前記タッチパネルにおける検出位置との位置ずれを補正するためのキャリブレーション処理を実行する機能が備わっている（例えば、特許文献１参照）。
【先行技術文献】
【特許文献】
【０００３】
【特許文献１】特開２０１１−１０７８６４号公報
【発明の概要】
【発明が解決しようとする課題】
【０００４】
しかしながら、キャリブレーション処理を実行した際に、前記表示画面における表示位置と前記タッチパネルにおける検出位置との位置関係を補正するための調整値が、ユーザーの誤操作によって不適切な調整値に設定されてしまった場合には、その後は、その不適切な調整値に基づいてタッチ入力が処理されることになってしまう。そうすると、ユーザーはタッチパネルを通じて所望のタッチ入力を行うことができなくなり、その不適切な調整値を修復するための指示の入力自体が行えなくなってしまうこともあり得る。
【０００５】
本発明の目的は、タッチパネルのキャリブレーション処理における調整結果を容易に初期化することが可能な操作入力装置、画像形成装置及び操作入力方法を提供することにある。
【課題を解決するための手段】
【０００６】
本発明の一の局面に係る操作入力装置は、表示部と、タッチパネルと、キャリブレーション処理部と、調整値記憶部と、タッチ入力処理部と、を備える。前記タッチパネルは、前記表示部の表示画面上に設けられる。前記キャリブレーション処理部は、前記タッチパネルに対するタッチ入力に基づいて、前記表示画面における表示座標と前記タッチパネルにおける検出座標との位置関係を補正するための調整値を生成するキャリブレーション処理を実行する。前記調整値記憶部は、前記調整値を記憶する。前記タッチ入力処理部は、少なくとも電源がオンされてから前記キャリブレーション処理が実行されまでの間は、前記表示座標と前記検出座標との位置関係を示す位置関係情報に基づいてタッチ入力処理を行い、前記キャリブレーション処理が実行されたときに、当該キャリブレーション処理によって生成される前記調整値を使用した前記タッチ入力処理を開始する。
【０００７】
本発明の他の局面に係る画像形成装置は、前記操作入力装置と、画像形成部と、を備える。前記画像形成部は、前記操作入力装置に対するユーザー操作に基づいてシート上に画像を形成する。
【０００８】
本発明の他の局面に係る操作入力方法は、キャリブレーション処理ステップと、タッチ入力処理ステップと、を備える。前記キャリブレーション処理ステップでは、表示部の表示画面上に設けられたタッチパネルに対するタッチ入力に基づいて、前記表示画面における表示座標と前記表示部の表示画面上に設けられたタッチパネルにおける検出座標との位置関係を補正するための調整値を生成するキャリブレーション処理が実行される。前記タッチ入力処理ステップでは、少なくとも電源がオンされてから前記キャリブレーション処理が実行されまでの間は、前記表示座標と前記検出座標との位置関係を示す位置関係情報に基づいてタッチ入力処理が行われ、前記キャリブレーション処理が実行されたときに、当該キャリブレーション処理によって生成される前記調整値を使用した前記タッチ入力処理が開始される。
【発明の効果】
【０００９】
本発明によれば、タッチパネルのキャリブレーション処理における調整結果を容易に初期化することが可能な操作入力装置、画像形成装置及び操作入力方法が提供される。
【図面の簡単な説明】
【００１０】
【図１】図１は、本発明の実施形態に係る画像形成装置の外観を示す図である。
【図２】図２は、本発明の実施形態に係る画像形成装置のシステム構成を示すブロック図である。
【図３】図３は、本発明の実施形態に係る画像形成装置の操作表示部に表示される画像の一例を示す図である。
【図４】図４は、本発明の実施形態に係る画像形成装置の操作表示部に表示される画像の一例を示す図である。
【図５】図５は、本発明の実施形態に係る画像形成装置において実行されるタッチパネル制御処理の手順の一例を示すフローチャートである。
【図６】図６は、本発明の実施形態に係る画像形成装置において実行される終了判定処理の手順の一例を示すフローチャートである。
【図７】図７は、本発明の実施形態に係る画像形成装置の操作表示部に表示される画像の一例を示す図である。
【図８】図８は、本発明の実施形態に係る画像形成装置の操作表示部に表示される画像の一例を示す図である。
【発明を実施するための形態】
【００１１】
以下添付図面を参照しながら、本発明の実施形態について説明し、本発明の理解に供する。なお、以下の実施形態は、本発明を具体化した一例であって、本発明の技術的範囲を限定する性格のものではない。
【００１２】
図１及び図２に示されるように、本発明の実施形態に係る画像形成装置１は、操作表示部１０、ＡＤＦ１１、画像読取部１２、画像形成部１３、通信Ｉ／Ｆ１４、記憶部１５、及び制御部１６などを備える。具体的に、画像形成装置１は、プリンター機能、スキャナー機能、コピー機能、及びファクシミリ機能などを有する複合機である。なお、本発明の実施形態に係る画像形成装置１は、複合機に限らず、表示部と前記表示部の表示画面上に設けられたタッチパネルとを備える操作入力装置、又は前記操作入力装置を備える任意の装置であればよい。なお、画像形成装置１における操作表示部１０と制御部１６の組み合わせが、本発明の操作入力装置に相当する。
【００１３】
操作表示部１０は、情報を表示する液晶ディスプレーなどの表示部と、ユーザー操作を受け付けるタッチパネル及び操作ボタンなどの操作部とを備える。前記タッチパネルは、前記表示部の表示画面上に設けられている。ＡＤＦ１１は、原稿セット部、搬送ローラー、原稿押さえ、及び排紙部を備え、画像読取部１２の読み取り対象となる原稿を搬送する自動原稿搬送装置である。画像読取部１２は、原稿台、光源、ミラー、光学レンズ、及びＣＣＤ（Ｃｈａｒｇｅ  Ｃｏｕｐｌｅｄ  Ｄｅｖｉｃｅ）を備え、原稿を含む読取範囲内の画像を読み取って画像データとして出力することが可能である。
【００１４】
画像形成部１３は、電子写真方式又はインクジェット方式で画像データに基づく印刷処理を実行することが可能であり、前記画像データに基づいてシート上に画像を形成する。例えば、画像形成部１３が電子写真方式の画像形成部である場合、画像形成部１３は感光体ドラム、帯電器、露光装置、現像装置、転写装置、及び定着装置などを備える。画像形成部１３は、操作表示部１０に対するユーザー操作に基づいてシート上に画像を形成する。
【００１５】
通信Ｉ／Ｆ１４は、電話回線、インターネット、又はＬＡＮなどの通信網を介して、外部のファクシミリ装置又はパーソナルコンピューターなどの情報処理装置との間で所定の通信プロトコルに従った通信処理を実行することが可能な通信インターフェイスである。
【００１６】
記憶部１５は、ハードディスク又はＥＥＰＲＯＭ（登録商標）などの不揮発性の記憶部である。記憶部１５には、制御部１６によって実行される後述するタッチパネル制御処理などを実行するための各種の制御プログラムなどが記憶される。
【００１７】
制御部１６は、ＣＰＵ、ＲＯＭ、及びＲＡＭなどの制御機器を備える。前記ＣＰＵは、各種の演算処理を実行するプロセッサーである。前記ＲＯＭは、前記ＣＰＵに各種の処理を実行させるための制御プログラムなどの情報が予め記憶される不揮発性の記憶部である。前記ＲＡＭは、前記ＣＰＵが実行する各種の処理の一時記憶メモリー（作業領域）として使用される揮発性又は不揮発性の記憶部である。
【００１８】
具体的に、制御部１６は、キャリブレーション処理部２０、調整値記憶部２１、タッチ入力処理部２２、表示制御部２３、終了判定部２４、動作モード制御部２５、問い合わせ部２６、ユーザー判別部２７、時間カウント部２８、温度検出部２９を含む。なお、制御部１６は、前記制御プログラムに従って各種の処理を実行することにより各処理部として機能する。また、制御部１６は、各処理部の一部又は複数の処理機能を実現する電子回路を備えるものであってもよい。
【００１９】
キャリブレーション処理部２０は、操作表示部１０の前記タッチパネルに対するタッチ入力に基づいて、操作表示部１０の前記表示部の表示画面における表示座標と前記タッチパネルにおける検出座標との位置関係を補正するための調整値を生成するキャリブレーション処理を実行する（図４参照）。キャリブレーション処理部２０は、例えば、前記タッチパネルに対する誤操作が検知されたことに応じて前記キャリブレーション処理を実行してもよい。
【００２０】
調整値記憶部２１は、前記調整値を記憶する。詳細については後述するが、前記調整値は、少なくとも画像形成装置の電源がオフされた後は使用されない。よって、調整値記憶部２１は、前記ＲＡＭなどの揮発性の記憶部であってもよい。
【００２１】
タッチ入力処理部２２は、少なくとも画像形成装置１の電源がオンされてから前記キャリブレーション処理が実行されまでの間は、前記表示座標と前記検出座標との位置関係を示す位置関係情報に基づいてタッチ入力処理を行い、前記キャリブレーション処理が実行されたときに、当該キャリブレーション処理によって生成される前記調整値を使用した前記タッチ入力処理を開始する。なお、前記位置関係情報は、前記ＲＯＭ又は記憶部１５などの不揮発性の記憶部に予め記憶されている。前記位置関係情報は、画像形成装置１の出荷前又は出荷後に、販売業者又はメンテナンス業者の操作に基づいて更新されてもよい。
【００２２】
表示制御部２３は、操作表示部１０の前記表示部に種々の画像を表示する（図３、図４及び図７参照）。表示制御部２３は、タッチ入力処理部２２によって前記調整値が使用されている間、前記調整値が使用されていることを示す画像（例えば、図８に示す通知画像６０）を前記表示部に表示させてもよい。
【００２３】
終了判定部２４は、タッチ入力処理部２２による前記調整値の使用を終了すべきか否かを判定する。タッチ入力処理部２２は、前記キャリブレーション処理が実行されてから画像形成装置１の電源がオフされるまでの期間において、終了判定部２４によって前記調整値の使用を終了すべきであると判定された場合に、前記調整値の使用を終了してもよい。
【００２４】
動作モード制御部２５は、操作表示部１０の動作モードを通常モードと省電力モード（スリープモード又は待機モードと呼ばれることもある）との間で切り換える。動作モード制御部２５は、例えば、操作表示部１０に対して一定時間以上、操作が行われなかったときに、前記動作モードを通常モードから省電力モードに切り替える。省電力モードでは、例えば、前記表示部の表示画面が消灯される。終了判定部２４は、前記動作モードが省電力モードに切り換わったときに、前記調整値の使用を終了すべきであると判定してもよい。
【００２５】
問い合わせ部２６は、前記キャリブレーション処理の実行後、操作表示部１０の動作モードが通常モードから省電力モードに一旦切り替わってから通常モードに復帰したときに、前記調整値の使用を継続すべきか否かをユーザーに問い合わせる（図７参照）。終了判定部２４は、問い合わせ部２６による問い合わせに対して、ユーザーから前記調整値の使用を継続すべきでないとの回答が入力された場合に、前記調整値の使用を終了すべきであると判定してもよい。また、終了判定部２４は、問い合わせ部２６による問い合わせに対して、ユーザーから前記調整値の使用を継続すべきであるとの回答が入力された場合に、前記調整値の使用を終了すべきでないと判定してもよい。
【００２６】
ユーザー判別部２７は、前記操作表示部１０の前記タッチパネルを操作しているユーザーを判別する。ユーザー判別部２７は、例えば、画像形成装置１の使用を開始する際に行われるユーザーのログイン操作に基づいて、ユーザーを判別する。終了判定部２４は、前記タッチパネルを操作しているユーザーが変わったときに、前記調整値の使用を終了すべきであると判定してもよい。
【００２７】
時間カウント部２８は、前記キャリブレーション処理が実行されてからの経過時間をカウントする。終了判定部２４は、前記経過時間が予め定められた時間に達したときに、前記調整値の使用を終了すべきであると判定してもよい。
【００２８】
温度検出部２９は、画像形成装置１に設けられた温度センサーからの信号に基づいて、前記操作表示部１０の前記タッチパネル又はその周辺の温度を検出する。終了判定部２４は、前記キャリブレーション処理が実行されてから前記温度が予め定められた値以上変化したときに、前記調整値の使用を終了すべきであると判定してもよい。
【００２９】
ところで、一般に、表示部と前記表示部の表示画面上に設けられたタッチパネルとを備える操作入力装置には、前記表示画面における表示位置と前記タッチパネルにおける検出位置との位置ずれを補正するためのキャリブレーション処理を実行する機能が備わっている。
【００３０】
しかしながら、キャリブレーション処理を実行した際に、前記表示画面における表示位置と前記タッチパネルにおける検出位置との位置関係を補正するための調整値が、ユーザーの誤操作によって不適切な調整値に設定されてしまった場合には、その後は、その不適切な調整値に基づいてタッチ入力が処理されることになってしまう。そうすると、ユーザーはタッチパネルを通じて所望のタッチ入力を行うことができなくなり、その不適切な調整値を修復するための指示の入力自体が行えなくなってしまうこともあり得る。
【００３１】
これに対して、本実施形態に係る画像形成装置１では、少なくとも電源がオンされてから前記キャリブレーション処理が実行されまでの間は、前記位置関係情報に基づいてタッチ入力処理が行われる。すなわち、前記キャリブレーション処理によって前記調整値が生成されたとしても、当該調整値が使用されるのは、電源がオフされるまでの期間に限られる。よって、前記タッチパネルのキャリブレーション処理において不適切な調整値が設定されてしまった場合においても、電源をオフにするだけで容易に初期化することが可能である。
【００３２】
次に、図３〜図８を参照しつつ、前記キャリブレーション処理に関する画像形成装置１の動作について説明する。
【００３３】
前記キャリブレーション処理は、例えば、操作表示部１０の前記タッチパネルに対する誤操作が検知されたことに応じて実行される。具体的には、前記タッチパネルに対する直前の操作（誤操作）を取り消すような操作が所定回数繰り返されたときに、表示制御部２３は、例えば図３に示すような確認画面３０を、操作表示部１０の前記表示部に表示する。前記タッチパネルに対する直前の操作（誤操作）を取り消すような操作の例としては、操作表示部１０の前記表示部に表示されるキャンセルボタン、戻るボタン、削除ボタン等の押下、又は、操作表示部１０に設けられているキャンセルキー、戻るキー等の押下が挙げられる。
【００３４】
前記タッチパネルに対する誤操作が繰り返されるということは、ユーザーが押下しようとしている前記表示部の表示画面上の表示位置と、前記タッチパネルによる検出位置とが何らかの理由によりずれていることが原因である。このようなずれの原因としては、温度変化による前記タッチパネルの特性の変化、前記表示部と前記タッチパネルとの位置関係の変化、ユーザー毎の指の大きさの違い、ユーザー毎の操作方法の癖、操作時のユーザーの姿勢など、種々の原因が考えられる。
【００３５】
図３に示す確認画面３０において、ユーザーが「はい」のボタン３１を押下すると、キャリブレーション処理部２０は、前記キャリブレーション処理を実行する。前記キャリブレーション処理では、表示制御部２３によって、例えば図４に示すようなキャリブレーション画面４０が操作表示部１０の前記表示部に表示される。図４に示すキャリブレーション画面４０において、ユーザーによって２つの罰点の各々の中心部が押下されると、それらの２点に対応する前記タッチパネルの検出位置に基づいて、前記調整値が生成される。
【００３６】
上記ようにして前記調整値が生成されると、それ以降は、長くとも画像形成装置１の電源がオフされるまでの期間については、前記調整値に基づいて前記タッチパネルに対するタッチ入力が処理される。したがって、この期間については、ユーザーは、前記位置関係のずれに悩まされることなく、所望のタッチ入力を行うことができる。また、仮に前記キャリブレーション処理によって不適切な調整値が生成されてしまったとしても、画像形成装置１の電源をオフすることによって、当該不適切な調整値は無効になる。よって、前記タッチパネルに対して所望のタッチ入力を行うことができなくなってしまう事態に陥ることを回避することができる。
【００３７】
以下、図５及び図６を参照しつつ、制御部１６によって実行されるタッチパネル制御処理の手順の一例について説明する。ここで、ステップＳ１、Ｓ２・・・は、制御部１６により実行される処理手順（ステップ）の番号を表している。なお、前記タッチパネル制御処理は、例えば、画像形成装置１の電源がオンされたことに応じて開始され、その後、画像形成装置１の電源がオフされたことに応じて終了される。
【００３８】
＜ステップＳ１＞
まず、ステップＳ１において、制御部１６は、記憶部１５等の不揮発性の記憶部に記憶されている前記位置関係情報に基づいて、操作表示部１０の前記タッチパネルに対するタッチ入力を処理する。例えば、制御部１６は、前記タッチパネルがユーザーによってタッチされると、前記位置関係情報に基づいて、前記タッチパネルの検出位置（検出座標）を、操作表示部１０の前記表示部の表示画面上の表示位置（表示座標）に変換する。そして、制御部１６は、タッチ位置に表示されているボタンに応じた処理を実行する。
【００３９】
＜ステップＳ２＞
ステップＳ２において、制御部１６は、前記キャリブレーション処理を実行する必要があるか否かを判断する。例えば、制御部１６は、図３に示す確認画面３０において「はい」のボタン３１がタッチされたときに、前記キャリブレーション処理を実行する必要があると判断する。そして、前記キャリブレーション処理を実行する必要があると判断されると（Ｓ２：Ｙｅｓ）、処理がステップＳ３に移行する。一方、前記キャリブレーション処理を実行する必要がないと判断されると（Ｓ２：Ｎｏ）、処理がステップＳ１に戻る。すなわち、画像形成装置１の電源がオンされてから前記キャリブレーション処理が実行されるまでの間は、前記位置関係情報に基づいて、前記タッチパネルに対するタッチ入力が処理される。
【００４０】
＜ステップＳ３＞
ステップＳ３において、制御部１６は、前記キャリブレーション処理を実行して、前記補正値を生成する。生成された補正値は、例えば前記ＲＡＭに記憶される。
【００４１】
＜ステップＳ４＞
ステップＳ４において、制御部１６は、ステップＳ３で生成された前記調整値を使用して、前記タッチパネルに対するタッチ入力を処理する。例えば、制御部１６は、前記タッチパネルがユーザーによってタッチされると、前記調整値を使用して、前記タッチパネルの検出位置（検出座標）を、操作表示部１０の前記表示部の表示画面上の表示位置（表示座標）に変換する。そして、制御部１６は、タッチ位置に表示されているボタンに応じた処理を実行する。
【００４２】
＜ステップＳ５＞
ステップＳ５において、制御部１６は、終了判定処理を行う。前記終了判定処理は、前記調整値の使用を終了すべきか否かを判定するための処理である。当該ステップＳ５の終了判定処理の詳細については後述する。
【００４３】
＜ステップＳ６＞
ステップＳ６において、制御部１６は、画像形成装置１の電源がオフされたか否かを判断する。そして、画像形成装置１の電源がオフされたと判断されると（Ｓ６：Ｙｅｓ）、前記タッチパネル制御処理は終了される。一方、画像形成装置１の電源がオフされていないと判断されると（Ｓ６：Ｎｏ）、処理がステップＳ４に戻る。
【００４４】
画像形成装置１の電源がオフされた後、次に電源がオンされたときには、ステップＳ１において、前記位置関係情報に基づいて、前記タッチパネルに対するタッチ入力が処理される。よって、ステップＳ３において生成された前記補正値は、長くとも画像形成装置１の電源がオフされるまでの間だけ使用されることになる。
【００４５】
なお、前記ステップＳ１、Ｓ４の処理（タッチ入力処理ステップ）は、制御部１６のタッチ入力処理部２２によって実行される。前記ステップＳ３の処理（キャリブレーション処理ステップ）は、制御部１６のキャリブレーション処理部２０によって実行される。
【００４６】
次に、図６を参照しつつ、前記ステップＳ５において制御部１６によって実行される前記終了判定処理の手順の一例について説明する。
【００４７】
＜ステップＳ１０＞
ステップＳ１０において、制御部１６は、前記操作表示部１０の動作モード（又は前記画像形成装置１の動作モード）が省電力モードから通常モードに復帰したか否かを判断する。そして、前記動作モードが省電力モードから通常モードに復帰したと判断されると（Ｓ１０：Ｙｅｓ）、処理がステップＳ１１に移行する。一方、前記動作モードが省電力モードから通常モードに復帰していないと判断されると（Ｓ１０：Ｎｏ）、処理がステップＳ６（図５）に移行する。
【００４８】
＜ステップＳ１１＞
ステップＳ１１において、制御部１６は、図７に示すような問い合わせ画面５０を、操作表示部１０の前記表示部に表示する。
【００４９】
＜ステップＳ１２＞
ステップＳ１２において、制御部１６は、図７に示す問い合わせ画面５０において、ユーザーによって「いいえ」のボタン５２がタッチされたか否かを判断する。そして、「いいえ」のボタン５２がタッチされたと判断されると（Ｓ１２：Ｙｅｓ）、処理がステップＳ１（図５）に戻る。この結果、前記補正値は、画像形成装置１の電源がオフされる前に使用されなくなり、前記位置関係情報に基づくタッチ入力処理が再開される。一方、「いいえ」のボタン５２がタッチされなかったと判断されると（Ｓ１２：Ｎｏ）、処理がステップＳ１３に移行する。
【００５０】
＜ステップＳ１３＞
ステップＳ１３において、制御部１６は、図７に示す問い合わせ画面５０において、ユーザーによって「再調整」のボタン５３がタッチされたか否かを判断する。そして、「再調整」のボタン５３がタッチされたと判断されると（Ｓ１３：Ｙｅｓ）、処理がステップＳ１４に移行する。一方、「再調整」のボタン５３がタッチされなかった（すなわち、「はい」のボタン５１がタッチされた）と判断されると（Ｓ１３：Ｎｏ）、処理がステップＳ６（図５）に移行する。この結果、省電力モードに移行する直前に使用されていた補正値が、引き続き使用されることになる。
【００５１】
＜ステップＳ１４＞
ステップＳ１４において、制御部１６は、前記キャリブレーション処理を実行して、前記補正値を生成する。生成された補正値は、例えば前記ＲＡＭに記憶される。そして、処理がステップＳ６（図５）に移行する。この結果、当該ステップＳ１４で生成された調整値を使用して、前記タッチパネルに対するタッチ入力が処理されるようになる。
【００５２】
なお、図６に示すフローチャートでは、図７に示す問い合わせ画面５０において「いいえ」のボタン５２がタッチされたときに、前記補正値の使用が終了されるが、本発明はこれに限定されない。
【００５３】
他の実施形態では、操作表示部１０の動作モードが省電力モードに切り換わったときに、前記補正値の使用が終了されてもよい。操作表示部１０の動作モードが省電力モードに切り換わったということは、ユーザー又は状況（前記タッチパネルの温度など）が変化する可能性が高いため、前記補正値を使用したタッチ入力処理から前記位置関係情報に基づくタッチ入力処理に戻す方が好ましい場合もあり得るからである。
【００５４】
さらに他の実施形態では、前記タッチパネルを操作しているユーザーが変わったときに、前記補正値の使用が終了されてもよい。
【００５５】
さらに他の実施形態では、前記キャリブレーション処理が実行されてからの経過時間が予め定められた時間に達したときに、前記補正値の使用が終了されてもよい。前記キャリブレーション処理が実行されてからの経過時間が予め定められた時間に達したということは、前記キャリブレーション処理の実行時点から状況（前記タッチパネルの温度など）が変化している可能性が高いため、前記補正値を使用したタッチ入力処理から前記位置関係情報に基づくタッチ入力処理に戻す方が好ましい場合もあり得るからである。
【００５６】
さらに他の実施形態では、前記タッチパネル又はその周辺の温度が、前記キャリブレーション処理が実行されてから予め定められた値以上変化したときに、前記補正値の使用が終了されてもよい。
【００５７】
さらに他の実施形態では、任意のタイミングで入力されるユーザーの指示に応じて（例えば、図８に示す画像における「使用終了」のボタン６１に対するタッチ入力に応じて）、前記補正値の使用が終了されてもよい。
【００５８】
なお、本実施形態では、前記キャリブレーション処理は、操作表示部１０の前記タッチパネルに対する誤操作が検知されたことに応じて実行されるが、本発明はこれに限定されない。例えば、前記キャリブレーション処理は、ユーザーの指示に応じて任意のタイミングで実行されてもよい。
【符号の説明】
【００５９】
１  画像形成装置
１０  操作表示部
１１  ＡＤＦ
１２  画像読取部
１３  画像形成部
２０  キャリブレーション処理部
２１  調整値記憶部
２２  タッチ入力処理部
２３  表示制御部
２４  終了判定部
２５  動作モード制御部
２６  問い合わせ部
２７  ユーザー判別部
２８  時間カウント部
２９  温度検出部
３０  確認画面
４０  キャリブレーション画面
５０  問い合わせ画面
６０  通知画像
【図１】
0006504107.tif 000002
【図２】
0006504107.tif 000003
【図３】
0006504107.tif 000004
【図４】
0006504107.tif 000005
【図５】
0006504107.tif 000006
【図６】
0006504107.tif 000007
【図７】
0006504107.tif 000008
【図８】
0006504107.tif 000009